(57)【要約】  無線通信装置は光学センサと、制御部と、表示部とを有する。前記光学センサは１以上の商店や建物と関連付けられた１以上の光学送信機によって送信されたデータを受信する。前記制御部は、選択コンテンツを取り出すためにメモリに格納された、もしくは前記ユーザによって提供されたユーザ選択情報に基づいて、前記受信したデータにフィルタをかける。前記コントローラは、前記表示部において前記ユーザに対し前記選択コンテンツを表示する。
2010503278.tif 000002
【特許請求の範囲】
【請求項１】
１以上の光学送信機から送信されているデータを受信するように構成された光学センサと、
選択コンテンツを取り出すために選択したユーザ選択情報に基づいて受信データにフィルタをかけるように構成された制御部と、
前記選択コンテンツを表示するための表示部と
を備えることを特徴とする無線通信装置。
【請求項２】
１以上のユーザプロファイルを格納するためのメモリを更に有し、
各ユーザプロファイルは、前記ユーザ選択情報を指定する１以上のフィルタを有することを特徴とする請求項１に記載の無線通信装置。
【請求項３】
前記ユーザ選択情報は、表示される前記選択コンテンツを特定する１以上の指標を有することを特徴とする請求項２に記載の無線通信装置。
【請求項４】
前記制御部は、ユーザの入力に応答して第一のフィルタから第二のフィルタへ切り替えることを特徴とする請求項２に記載の無線通信装置。
【請求項５】
前記制御部は、ユーザの入力に応答して１以上のユーザプロファイルから１つのフィルタを選択するように更に構成されることを特徴とする請求項２に記載の無線通信装置。
【請求項６】
前記制御部は、前記選択コンテンツが表示されている間に前記選択されたフィルタを含んだ前記ユーザ選択情報を修正することを特徴とする請求項２に記載の無線通信装置。
【請求項７】
前記制御部は、ユーザの入力に応答して前記ユーザへ表示されている前記選択コンテンツの量を増やす、または減らすように構成されることを特徴とする請求項６に記載の無線通信装置。
【請求項８】
前記制御部は、メモリ内に前記修正されたユーザ選択情報を格納するように構成されることを特徴とする請求項６に記載の無線通信装置。
【請求項９】
前記制御部は、前記ユーザ選択情報に基づいてユーザプロファイルを生成するように構成されることを特徴とする請求項１に記載の無線通信装置。
【請求項１０】
前記制御部は、当該ユーザによって手動で提供された情報を用いて前記ユーザプロファイルを生成するように構成されることを特徴とする請求項９に記載の無線通信装置。
【請求項１１】
無線通信ネットワークと信号で通信するように構成された送受信機を更に備えることを特徴とする請求項１に記載の無線通信装置。
【請求項１２】
前記制御部は、無線通信ネットワーク内のサーバから前記ユーザ選択情報を読み出すように構成されることを特徴とする請求項１１に記載の無線通信装置。
【請求項１３】
前記制御部は、ユーザの入力に応答して前記選択コンテンツに基づいて所定の機能を実行するように構成されることを特徴とする請求項１に記載の無線通信装置。
【請求項１４】
前記制御部は、前記選択コンテンツに含まれた電話番号への電話を開始するように構成されることを特徴とする請求項１３に記載の無線通信装置。
【請求項１５】
前記制御部は、前記選択コンテンツに含まれるＵｎｉｆｏｒｍ  Ｒｅｓｏｕｒｃｅ  Ｌｏｃａｔｏｒ（ＵＲＬ）に基づいてウェブサーバへアクセスするように構成された請求項１３に記載の無線通信装置。
【請求項１６】
１以上の光学送信機から受信した情報を表示する方法であって、
無線通信装置の光学センサにて、１以上の光学送信機によって送信されたデータを受信する工程と、
選択したユーザ選択情報に基づいて選択コンテンツを取り出すために前記受信データにフィルタをかける工程と、
前記ユーザへ前記選択コンテンツを表示する工程と
を有することを特徴とする方法。
【請求項１７】
前記選択コンテンツを取り出すために受信データにフィルタをかける工程は、ユーザの入力に応答して複数のフィルタから一つのフィルタを選択する工程を有し、
各フィルタは、選択コンテンツの個別の組を示すユーザ選択情報を含むことを特徴とする請求項１６に記載の方法。
【請求項１８】
ユーザの入力に応答して第一のフィルタから第二のフィルタに切り替える工程と、
前記第二のフィルタに含まれる前記ユーザ選択情報によって特定される新しい選択コンテンツを取り出すために受信データにフィルタをかける工程と、
前記第二のフィルタによって特定される新しい選択コンテンツを表示する工程と
を更に有することを特徴とする請求項１７に記載の方法。
【請求項１９】
ユーザの入力に応答して現在表示されている前記選択コンテンツを変更する工程を更に有することを特徴とする請求項１８に記載の方法。
【請求項２０】
現在表示されている前記選択コンテンツを変更する工程は、ユーザの入力に応答して表示されている選択コンテンツの量を増やしたり、減らしたりすることを特徴とする請求項１９に記載の方法。
【請求項２１】
前記ユーザ選択情報を含むフィルタを生成する工程を更に有することを特徴とする請求項１６に記載の方法。
【請求項２２】
ユーザの入力に応答して前記選択コンテンツ内の情報に基づいて所定の機能を実行する工程を更に有することを特徴とする請求項１６に記載の方法。
【請求項２３】
前記所定の機能を実行する工程は、前記選択コンテンツに含まれた電話番号への電話を開始する工程を有することを特徴とする請求項２２に記載の方法。
【請求項２４】
前記所定の機能を実行する工程は、前記選択コンテンツに含まれたＵｎｉｆｏｒｍ  Ｒｅｓｏｕｒｃｅ  Ｌｏｃａｔｏｒ（ＵＲＬ）に基づいてウェブサーバにアクセスするブラウザアプリケーションを起動する工程を有することを特徴とする請求項２２に記載の方法。
【発明の詳細な説明】
【技術分野】
【０００１】
本発明は一般に無線通信装置、特に光学的に送信された情報を受信するように構成された無線通信装置に関する。
【背景技術】
【０００２】
携帯電話のような無線通信装置の普及の伸びは、例えば、様々な技術を利用したアプリケーションの開発を促進している。あるアプリケーションは特に光学送信機を利用して、身に着けた携帯電話に適した情報やデータを伝える。
【０００３】
光学送信機は、例えば、レストランやショップのような商店（business）に関連付けて、その商店についての情報を伝える光ビーコンを発しても良い。情報は、とりわけ、商店の名称や商店を代表するグラフィックのアイコンやマークのデータを含んでいても良い。光学センサを備える携帯電話は受信でき、ユーザのために携帯電話のディスプレイに情報を表示できる。
【０００４】
携帯電話において、商店についての各種情報を見る能力は便利である。しかしながら、この技術を使用する商店が近接して配置された集積地（collection）の近所や商店街の中を通って歩くユーザは、特定の種類の商店のみに興味があるかもしれない。もし多くの商店がこの技術を使用したならば、大量の受信した情報は、ユーザが特定の商店や商店の種類についての情報を見つけることを計り知れないほど困難にするだろう。
【発明の概要】
【課題を解決するための手段】
【０００５】
本発明の一つの実施形態として、無線通信装置は光学送信機によって送信されたデータを検出し、受信する光学センサを備える。前記データは、データ中の異なる情報を識別するための１以上の既定コードを含んでいてもよい。無線通信装置は、ユーザが見たいコンテンツを選択するためのユーザ選択情報に基づいて受信したデータにフィルタをかけ、コンテンツをディスプレイに送る。
【０００６】
ユーザ選択は、例えば、１以上のユーザプロファイルに格納されていても良い。各ユーザプロファイルは、当該ユーザに対し表示される、異なる受信データのサブセットを特定するための異なるユーザ選択情報を含む。ユーザ選択情報は、例えば、受信データ内のコードと一致する１以上のコードを備えていても良い。制御部は、ユーザの入力に応答して与えられたユーザプロファイルを選択しても良い。あるいは、もしユーザプロファイルが存在しない場合は、制御部は、ユーザが履歴において閲覧に興味のあった情報に基づいてユーザプロファイルを作成しても良い。
【０００７】
ユーザプロファイルは無線通信装置のメモリに格納されても良いし、無線通信ネットワークにおけるサーバやその他のものからダウンロードされても良い。ユーザは、異なるユーザプロファイル間で切り替えることで、もしくは、手動で無線通信装置において表示されたコンテンツの量を増やすもしくは減らすための１以上の制御を動作させることで、現在表示されているコンテンツの量及び／またはタイプを修正しても良い。
【図面の簡単な説明】
【０００８】
【図１】図１は、光学送信機によって送信されたデータを受け取るように構成された無線通信装置を示している。
【図２】図２は、本発明の一つの実施形態に準じて構成された無線通信装置のブロック図である。
【図３】図３は、本発明の一つの実施形態に準じて構成された無線通信装置によって、光学送信機から受信した情報にフィルタをかける方法を示したフロー図である。
【図４】図４は、本発明の一つの実施形態において、利用するのに適した通信ネットワークのブロック図を示している。
【発明を実施するための形態】
【０００９】
本発明は、無線通信装置のユーザが、ユーザの選択に基づいて１以上の光学送信機から受信した、選択した情報を閲覧することを可能とする。ユーザは選択により、受信データにおいてユーザが見たい部分を特定する。一つの実施形態において、無線通信装置は１以上の光学送信機からの情報を受信する光学センサを有する。各光学送信機は、異なる商店や商店を収容した建物に関連付けて良く、商店と関連付けられたデータを伝えるビーコンを発しても良い。データは、送信されているデータの異なる部分を識別するための１以上の指標を含む。受け取り次第、無線通信装置は、受信した指標とユーザの選択における指標とを比較することによって受信データにフィルタをかける。無線通信装置は、その際、ユーザに指標とマッチするコンテンツを表示しても良い。
【００１０】
図１は、本発明における一つの実施形態に準じて構成された無線通信装置２０が動作可能なある地理的領域１０の斜視図である。地理的領域１０は、例えば、ニューヨークのタイムズスクエアや東京の銀座のような大きな都市のショッピングエリア、もしくは、商店街の内側、もしくは、１以上の商店や建物１２を有する地理的場所であって良い。各商店１２は、それらの特定の商店と関連するデータを無線通信装置２０へ送信する光学送信機１４を有する。データは、これらに限定されるわけではないが、商店の名称、販売している食べ物や商品のタイプ、価格情報、窓口案内、予約が必要か否か、セール情報などを含む。一つの実施形態において、１以上の商店１２は、それらのＵｎｉｆｏｒｍ  Ｒｅｓｏｕｒｃｅ  Ｌｏｃａｔｏｒ（ＵＲＬ）を送信しても良い。
【００１１】
図１において、各商店１２は、自らと関連付けられた光学送信機１４を有する。けれども、当業者は、これがただの例示であると理解するだろう。いくつかの商店１２ａ〜１２ｄは、それらのデータを送信するために１より多くの光学送信機１４を用いても良いし、複数の商店１２は、それらの商店１２ａ〜１２ｄそれぞれと関係する情報を送信するために一つの光学送信機１４を共有しても良い。
【００１２】
より詳細には後述するが、無線通信装置１２は、無線通信装置２０が光学送信機１４の視線方向に位置する際、各光学送信機１４によって送信されたデータを受信する光学センサ５０が備えられる。受信次第、無線通信装置２０は、ユーザに対し表示部２２において情報を表示しても良い。図１にて表示された情報は、領域１０において検知された、異なる商店１２の名称のユーザを示しているテキストラベル２４、２６のリストを含む。リストはテキストに加えて、もしくは代わりに、アイコンや他の地理的しるしを含んでも良いかもしれない。ユーザは、選択された商店１２についての追加のデータを見るために、リストから要求した商店１２を選択して良い。
【００１３】
図２は、より詳細な無線通信装置２０のいくつかの構成部分を示している。無線通信装置２０は、表示部２２とユーザ入力インタフェース（ＵＩ）２８を有する。表示部２２は、例えば、ユーザがスタイラスペンや指を用いて表示されたリストの項目を選択できるタッチスクリーンディスプレイでも良い。選択されたリストの項目への“タッピング（Ｔａｐｐｉｎｇ）”やタッチは、無線通信装置において選択されたラベルと関連付けた商店１２についての追加の情報を表示させるためのアプリケーションを実行させる。
【００１４】
一つの実施形態として、リストから特定の商店１２を選択することは、無線通信装置２０に商店１２への電話を開始させる。もし、送信したデータにＵＲＬが含まれていた場合、都合良く使用できる無線通信装置２０は、ユーザが選択した商店のウェブサイトを閲覧できるようにブラウザアプリケーションを起動できる。他の実施形態として、リストから特定の商店１２を選択すると、ブラウザアプリケーションが起動され、ＧＯＯＧＬＥなどの公衆利用可能なサーチエンジンへと自動的に選択した商店１２と関連付けられたデータのいくつかまたは全てを提供する。ユーザはその際、選択された商店１２についてより知るために、サーチエンジンによって提供された１以上のリンクを選択し、ナビゲートしても良い。
【００１５】
ＵＩ２８は、無線通信装置２０の操作を制御するためのコマンドの入力をユーザに可能ならしめる１以上の様々なコントロールを有する。ＵＩ２８を介して、ユーザは様々なユーザコマンドを入力しても良いし、階層的なメニューをナビゲートしても良いし、商店１２を選択しても良いし、詳細については後に述べるが、光学送信機１４から受信した情報の量及びタイプまたはそのいずれか一方をコントロールするためのユーザの選択を作成、編集、保存しても良い。
【００１６】
無線通信装置２０は、音声処理回路３４と通信に関して接続するスピーカ３０とマイク３２を備える。スピーカ３０は、音声信号をユーザへの可聴音へ変換し、マイク３２はユーザの発話を電気音声信号へ変換する。音声処理回路３４は、基本アナログ出力信号をスピーカ３０へ提供し、マイク３２からアナログ音声入力を受信する。
【００１７】
実施形態によっては、音声処理回路３４はユーザの発話を認識し、解釈する音声処理電気回路３６を含む、もしくは通信で接続されても良い。スタイラスペンやＵＩ２８を用いて、リストから商店１２を手動で選択する代わりに、ユーザはマイク３２へテキストを話すことによって特定の商店１２を選択しても良い。発話処理電気回路３６はその際、選択した商店１２と関連付けられた機能性を制御部４０に実行させる信号を制御部４０へ提供できる。この機能性を促進するために、光学送信機１４は、リストにおける１以上のテキストラベル２４、２６の言語コンテンツを表現する情報を変換しても良い。
【００１８】
メモリ３８は、無線通信装置２０のメモリの完全な階層を表現しており、ランダム・アクセス・メモリ（ＲＡＭ）やリード・オンリ・メモリ（ＲＯＭ）を含んでいても良い。コンピュータプログラムの命令や処理のために要求されたデータは、ＥＰＲＯＭ、ＥＥＰＲＯＭ、及び／またはフラッシュメモリのような不揮発性のメモリに格納され、個別素子、積層素子もしくは、制御部４０と統合して実装されても良い。
【００１９】
メモリ３８は、光学送信機１４から受信した情報やデータ、ユーザ選択情報を含む１以上のユーザプロファイル４２を格納しても良い。制御部４０は、より詳細については後で述べるが、ユーザプロファイル４２のユーザ選択情報を、受信したデータへのフィルタや、ユーザにとって情報が重要かの決定に用いても良い。このフィルタリングに基づいて、制御部４０は、ユーザの選択にマッチした選択コンテンツを表示部２２に表示する。メモリ３８は、１以上の制御部４０によって実行されるアプリケーションプログラム４４を格納もして良い。アプリケーションプログラム４４のような一つの例は、光学送信機１４からデータを受信するように無線通信装置２０を制御するアプリケーションである。
【００２０】
制御部４０は、無線通信装置２０の演算を処理し、単一マイクロプロセッサもしくは多重マイクロプロセッサに組み込まれても良い。適切なマイクロプロセッサは、一般的な目的と特定の目的両方のマイクロプロセッサ及びデジタル単一プロセッサを組み込んでも良い。当業者はすぐに理解するだろうが、メモリ３８や制御部４０は、特別に設計された特定用途向け集積回路（ＡＳＩＣ）に組み込まれていても良い。
【００２１】
送受信機４６は、無線通信ネットワーク（不図示）を超えて信号の送信及び受信のためのアンテナ４８と連結した、十分に機能的なセルラー方式送受信機である。送受信機４６は、これに限定されるわけではないが、標準規格としてよく知られたＧｌｏｂａｌ  Ｓｙｓｔｅｍ  ｆｏｒ  Ｍｏｂｉｌｅ  Ｃｏｍｍｕｎｉｃａｔｉｏｎｓ（ＧＭＳ），Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ），ＴＩＡ／ＥＩＡ−１３６，符号分割多重アクセス方式（ＣＤＭＡ）、ｃｄｍａＯｎｅ，ｃｄｍａ２０００，広帯域ＣＤＭＡにて機能して良い。
【００２２】
光学センサ５０は、光学送信機１４によって送信された情報やデータを受信できる技術的に知られたいくつかの光学センサであって良い。光学センサ５０は、一般的に光学情報を電気信号に変換し、更に処理するために制御部４０へ変換した信号を渡す。光学センサ５０は、可視光または不可視光を検知しても良い。ある実施形態において、例えば、光学センサ５０は、可視光によって届いたデータを制御部４０によって使用可能な電気的情報に変換する電荷結合素子（ＣＣＤ）を有しても良い。他の実施形態においては、光学センサ５０は、発光ダイオード（ＬＥＤ）によって、スペクトルの赤外部分にて送信されたデータを検知し、変換するのに適した受信機を有する。
【００２３】
制御部４０は、光学センサ５０からデータを受信し、選択されたユーザプロファイル４２内のユーザ選択に基づいて、選択コンテンツを取り出すためにデータにフィルタをかける。一つの実施形態として、光学送信機１４によって送信されたデータは、情報によっては従うかどうか分からない１以上の英数字コードや指標を有する。異なるコードは、データを送信している商店１２のタイプ、商店の名称、窓口案内、地理的しるしのような情報の異なる部分を示すことに使われても良い。制御部４０は、受信されている情報のタイプを決定し、ユーザ選択情報に格納されているコードとこれらを比較するために、これらのコードを用いても良い。もし受信したコードが選択したユーザ選択情報に含まれていたら、制御部４０は、表示部２２へ適合したコードと関連付けられたコンテンツを出力するための１以上の制御信号を生成しても良い。ユーザは、全ての受信データ、または、受信コードに基づいた受信データの選択サブセットのみを閲覧しても良い。
【００２４】
上記のように、選択コンテンツは、リスト形式にてユーザへ表示されても良い。一つの実施形態においてだが、情報はイメージの上に重ねられる。無線通信装置２０は、光学送信機１４が位置する地理的領域１０の画像を記録するためのカメラ５４を有する。カメラ５４は、ユーザの命令に応答して、または自動的に光学送信機１４の存在を検知したことの応答としてイメージを記録しても良い。制御部４０は、ユーザが表示部２２における背景として記録されたイメージを見ても良いように、表示部２２へイメージを送信する。制御部３６は、その際、選択コンテンツと対応する商店１２の位置を視覚的に示す保存したイメージに選択コンテンツを“重ねる（overlay）”ための制御信号を生成しても良い。
【００２５】
図３は、本発明の一つの実施形態に準じた方法６０を説明するフロー図であり、光学センサ５０が、１以上の光学送信機１４によって発せられたデータを受信するときに開始させる（ボックス６２）。受信すると、制御部４０は、フィルタリングが可能か否かを決定する（ボックス６４）。もし不可であれば、制御部４０は単に受信データを表示する。
【００２６】
もし、ユーザはフィルタをかけることが可能であれば、制御部４０は１以上のユーザプロファイル４２がメモリ３８に存在するか否かを決定する（ボックス６８）。もし存在しなければ、制御部４０は初期設定を含むユーザプロファイル４２を生成しても良い（ボックス７０）。初期設定は、商店１２の名称またはアイコン又はその両方のみを表示させるための情報を含んでいても良い。別の方法として、初期設定は、制御部４０によって時間とともに収集され、メモリ３８に格納された履歴情報に基づいても良い。制御部４０は、ユーザプロファイルを生成するためにこの情報を使用できる。例えば、制御部４０は、商店の特定のタイプと関連している情報におけるユーザの過去の閲覧履歴を反映する情報を格納できる。同様に、制御部４０は、商店のタイプを反映する履歴データ、及びユーザが閲覧から通常は排除していた情報、又はそのいずれか一方も格納できる。
【００２７】
他の実施形態として、制御部４０は、ユーザによって提供された選択情報に基づいてユーザプロファイル４２を生成しても良い（ボックス７０）。例えば、もし、そのエリアにいくつかのコーヒーショップがあるかどうか知りたいと望むユーザは、コーヒーショップと関連する選択情報を手動で入力するために、ユーザインタフェース２８を使用しても良い。情報は、これに限定するわけではないが、特定のコーヒーショップの名称またはタイプまたはその両方と、この情報に対応する英数字コードもしくは指標を含んでいても良い。別の方法として、ユーザはメニューシステムをナビゲートし、表示部２２に表示されたドロップダウンリストからこの選択情報を選択しても良い。
【００２８】
もし、１以上のユーザプロファイル４２がメモリ３８に確かに存在する場合は、制御部４０は、ユーザに特定のユーザプロファイル４２を選択するように促しても良い（ボックス７２）。上述したように、ユーザはユーザプロファイル４２を選択するためにＵＩ２８を使用してよい。制御部４０は、その際、選択したユーザプロファイル４２にアクセスし、その中に格納された選択情報を受信データにフィルタをかけるために用い、選択コンテンツを表示しても良い（ボックス７４）。制御部４０は選択したユーザプロファイル４２に基づいて格納した履歴情報を更新しても良い（ボックス７６）。
【００２９】
ユーザが表示部２２において選択コンテンツを閲覧する間、ユーザは、表示させたデータの量またはタイプを増やしたり、減らしたりして良い（ボックス７８、８０、８２）。例えば、選択したユーザプロファイル４２は、図１で示すようなリスト形式にて商店１２ａ〜１２ｄの名称のみを表示するテキストモードを選択しても良い。もし、ユーザは、商店のアイコンを閲覧することも要求するならば、ユーザはテキストと共に画像しるしを表示させるためにＵＩ２８を操作できる。もし、ユーザが少ない情報を要求するならば、ユーザは、表示されているテキストを除き、代わりにアイコンのみを閲覧するためにＵＩ２８を操作しても良い。
【００３０】
他の実施形態において、ユーザは、選択コンテンツのための受信データにフィルタをかけるため、ユーザプロファイル４２間を切り替えることができる。例として、ユーザは、複数の異なるユーザプロファイル４２へ様々な選択を分類して良い。第一のプロファイルは、制御部４０がレストランに関係するコンテンツのみを選択し表示することを示して良いし、更に第二のユーザプロファイル４２は、制御部４０が、スポーツ関連商店と関係するコンテンツのみを選択し、表示することを示す。ＵＩ２８を利用することで、ユーザは、制御部４０が受信データにフィルタをかけるための情報を変更するために、第一と第二のユーザプロファイル４２の間で選択的に切り替えてよい。従って、ユーザは、現在表示されている選択コンテンツの量及びタイプ又はその両方を増やすまたは減らす、またはその両方を行うために、手動でＵＩ２８を操作してよい。
【００３１】
他の実施形態として、単一のユーザプロファイルは、制御部４０が受信データにフィルタをかけるために用いる、異なった選択の組それぞれと関連付けられる複数のユーザ選択を有して良い。ユーザは、ＵＩ２８を用いてフィルタを変更するために、ユーザ選択の異なる組の間で切り替えて良い。
【００３２】
選択コンテンツに影響を与えるユーザ選択を変更する際、制御部４０は、新しい選択コンテンツを出力するために表示部２２をリフレッシュして良い。加えて、制御部４０は、変更を反映するために適切なユーザプロファイル４２を更新し、同様に、メモリ３８に格納されたいくつかの履歴情報を更新してよい（ボックス８４）。
【００３３】
前述の実施形態において、ユーザ選択情報を有するユーザプロファイル４２は、ユーザのデバイス２０におけるメモリ３８に格納される。しかしながら、代わりの実施形態において、無線通信装置３０は、通信ネットワークにおけるサーバもしくは他の構成要素からユーザプロファイル４２にアクセスまたはダウンロードまたはその両方をしてよい。図４は、本発明において、利用に適した通信ネットワーク９０の一つのタイプを説明している。
【００３４】
ネットワーク９０は、通信的に通信無線装置２０をインターネット９８経由でＣｉｒｃｕｉｔ  Ｓｗｉｔｃｈｅｄ  Ｃｏｒｅ  Ｎｅｔｗｏｒｋ（ＣＳＣＮ）９４、及びＰａｃｋｅｔ  Ｓｗｉｔｃｈｅｄ  Ｃｏｒｅ  Ｎｅｔｗｏｒｋ（ＰＳＣＮ）９６、またはそのいずれか一方と接続する無線アクセスネットワーク（ＲＡＮ）を備える。それぞれＲＡＮ９２、ＣＳＣＮ９４、ＰＳＣＮ９６、そしてインターネット９８は、技術的には良く知られており、ゆえに、ここでは詳細は述べない。１以上の光学送信機１４からデータを受信する際、無線通信装置２０は、サーバ１００から選択したユーザプロファイル４２をダウンロードするために適切なプロトコルを利用してメッセージングを開始する。一度ダウンロードしたら、前述したように、制御部４０は、受信データにフィルタをかけ、選択コンテンツを表示することができる。
【００３５】
前述の実施形態は、特に制御部４０が表示するようないくつかの情報のタイプを提示した。しかしながら、当業者は、すでにこの情報が例示でしかなく、本発明は、表示されている選択コンテンツに含めたり、もしくは除いたりして良い情報のタイプ及び量またはそのいずれか一方に限定されないことを十分に理解しているであろう。
【００３６】
加えて、明細書及び図面は携帯電話における本発明を具現化した。しかしながら、当業者がすでにこれが例示でしかないことを理解しているであろう。本発明は、これに限定されるわけではないが、携帯端末（ＰＤＡ）、パームまたはラップトップコンピュータ、衛星電話等を含む家庭用電子機器にて具現化されても良い。
【００３７】
本発明は、言うまでも無く、発明の必須の特徴から離れなければ、特にここに示したものとは他の方法において実行されても良い。本実施形態は、全ての事項のうち、例を考慮しており、制限をするものではない。そして、目的に含まれる全ての変化や付加したクレームの同等の範囲は、その中に含まれることを意図する。
【図１】
2010503278.tif 000003
【図２】
2010503278.tif 000004
【図３】
2010503278.tif 000005
【図４】
2010503278.tif 000006
【手続補正書】
【提出日】平成21年4月7日(2009.4.7)
【手続補正１】
【補正対象書類名】特許請求の範囲
【補正対象項目名】全文
【補正方法】変更
【補正の内容】
【特許請求の範囲】
【請求項１】
１以上の光学送信機から送信されているデータを受信するように構成された光学センサと、
選択コンテンツを取り出すために選択したユーザ選択情報に基づいて受信データにフィルタをかけるように構成された制御部と、
前記選択コンテンツを表示するための表示部と
を備えることを特徴とする無線通信装置。
【請求項２】
１以上のユーザプロファイルを格納するためのメモリを更に有し、
各ユーザプロファイルは、前記ユーザ選択情報を指定する１以上のフィルタを有し、
前記ユーザ選択情報は、表示される前記選択コンテンツを特定する１以上の指標を有することを特徴とする請求項１に記載の無線通信装置。
【請求項３】
前記制御部は、
ユーザの入力に応答して第一のフィルタから第二のフィルタへの切り替えと、
ユーザの入力に応答して１以上のユーザプロファイルから１つのフィルタの選択と、
ユーザの入力に応答して前記ユーザへ表示されている前記選択コンテンツの量の増加、または減少とのうち１以上の処理を行うように構成されることを特徴とする請求項２に記載の無線通信装置。
【請求項４】
前記制御部は、当該ユーザによって手動で提供された情報を用いて前記ユーザプロファイルの生成と、無線通信ネットワーク内のサーバから前記ユーザ選択情報を読み出しとのうち少なくとも一つの処理を行うように構成されることを特徴とする請求項１に記載の無線装置。
【請求項５】
前記制御部は、ユーザの入力に応答して前記選択コンテンツ内の情報に基づいて所定の機能を実行するように構成されることを特徴とする請求項１に記載の無線通信装置。
【請求項６】
１以上の光学送信機から受信した情報を表示する方法であって、
無線通信装置の光学センサにて、１以上の光学送信機によって送信されたデータを受信する工程と、
選択したユーザ選択情報に基づいて選択コンテンツを取り出すために前記受信データにフィルタをかける工程と、
前記ユーザへ前記選択コンテンツを表示する工程と
を有することを特徴とする方法。
【請求項７】
前記選択コンテンツを取り出すために前記受信データにフィルタをかける工程は、
各フィルタが選択コンテンツの個別の組を示すユーザ選択情報を含み、
ユーザの入力に応答して複数のフィルタから一つのフィルタを選択する工程と、
ユーザの入力に応答して第一のフィルタから第二のフィルタに切り替える工程と、
前記第二のフィルタに含まれる前記ユーザ選択情報によって特定される新しい選択コンテンツを取り出すために受信データにフィルタをかける工程と、
前記第二のフィルタによって特定される新しい選択コンテンツを表示する工程と
を有することを特徴とする請求項６に記載の方法。
【請求項８】
ユーザの入力に応答して表示されている選択コンテンツの量を増やしたり、減らしたりする工程を更に有することを特徴とする請求項７に記載の方法。
【請求項９】
前記選択コンテンツに含まれた電話番号への電話を開始する工程を更に有することを特徴とする請求項６に記載の方法。
【請求項１０】
前記選択コンテンツに含まれたＵｎｉｆｏｒｍ  Ｒｅｓｏｕｒｃｅ  Ｌｏｃａｔｏｒ（ＵＲＬ）に基づいてウェブサーバにアクセスするブラウザアプリケーションを起動する工程を更に有することを特徴とする請求項６に記載の方法。
【手続補正２】
【補正対象書類名】明細書
【補正対象項目名】０００７
【補正方法】変更
【補正の内容】
【０００７】
ユーザプロファイルは無線通信装置のメモリに格納されても良いし、無線通信ネットワークにおけるサーバやその他のものからダウンロードされても良い。ユーザは、異なるユーザプロファイル間で切り替えることで、もしくは、手動で無線通信装置において表示されたコンテンツの量を増やすもしくは減らすための１以上の制御を動作させることで、現在表示されているコンテンツの量及び／またはタイプを修正しても良い。
従って、本発明の一つの実施形態は、無線通信装置であって、
１以上の光学送信機によって送信されたデータを受信するように構成された光学センサと、
選択コンテンツを取り出すための選択したユーザ選択情報に基づいて前記受信データにフィルタをかけるように構成された制御部と、
前記選択コンテンツを表示するためのディスプレイとを有する。前記装置は１以上のユーザプロファイルを格納するメモリを有しても良く、各ユーザプロファイルは、前記ユーザ選択情報を明記する１以上のフィルタを有している。
一つの実施形態において、前記ユーザ選択情報は、表示された前記選択コンテンツを特定する１以上の指標を有する。前記制御部は、ユーザの入力に応答して第一のフィルタから第二のフィルタに切り替えて良いし、ユーザの入力に応答して１以上のプロファイルからフィルタを選択しても良い。
一つの実施形態において、前記制御部は、ユーザの入力に応答して前記ユーザに対し表示されている前記選択コンテンツの量を増やすか減らすことにより前記選択コンテンツが表示されている間に、前記選択したフィルタに含まれる前記ユーザ選択情報を修正する。
いくつかの実施形態において、前記制御部は、メモリに前記修正したユーザ選択情報を格納し、前記ユーザ選択情報に基づいてユーザプロファイルを生成するように構成される。前記ユーザプロファイルは、当該ユーザによって手動で提供された情報を用いて生成されても良い。
前記無線通信装置は更に、無線通信ネットワークと信号により通信するように構成されても良い。そのような実施形態において、前記制御部は、無線通信ネットワーク内のサーバから前記ユーザ選択情報を読み出すように構成される。
一つの実施形態において、前記制御部は、ユーザの入力に応答して選択コンテンツに基づいて所定の機能を実行するように構成されても良い。例えば、前記所定の機能は、ユーザの入力に応答して１以上のユーザプロファイルからフィルタを選択することでも良い。加えて、前記所定の機能は、前記選択コンテンツに含まれる電話番号へ電話を開始することや、前記選択コンテンツに含まれるＵｎｉｆｏｒｍ  Ｒｅｓｏｕｒｃｅ  Ｌｏｃａｔｏｒ（ＵＲＬ）に基づいてウェブサーバへアクセスすることでも良い。
他の実施形態において、本発明は１以上の光学送信機から受信した情報を表示する方法を提供する。前記方法は、無線通信装置の光学センサにて１以上の光学送信機によって送信されたデータを受信する工程と、
選択したユーザ選択情報に基づいて選択コンテンツを取り出すために前記受信データにフィルタをかける工程と、
前記ユーザへ前記選択コンテンツを表示する工程とを有する。一つの実施形態において、前記選択コンテンツを取り出すために前記受信データにフィルタをかける工程は、ユーザの入力に応答して複数のフィルタから第一のフィルタを選択する工程を有する。各フィルタは選択コンテンツのそれぞれの組を示すユーザ選択情報を含む。
他の実施形態において、前記方法は更に、
ユーザの入力に応答して前記第一のフィルタから第二のフィルタへ切り替える工程と、
前記第二のフィルタ内の前記ユーザ選択情報によって新しい選択コンテンツを特定するために前記受信データにフィルタをかける工程と、
前記第二のフィルタによって特定された新しい選択コンテンツを表示する工程とを有する。
加えて、前記方法は更に、ユーザの入力に応答して現在表示されている選択コンテンツを変更する工程を有して良い。現在表示されている選択コンテンツを変更する工程は、ユーザの入力に応答して表示されている選択コンテンツの量を増加または減少する工程を有する。
一つの実施形態において、前記方法は前記ユーザ選択情報を含むためのフィルタを生成する工程を有する。他の実施形態において、前記方法は、ユーザの入力に応答して前記選択コンテンツ内の情報に基づいて所定の機能を実行する工程を有する。前記所定の機能は、例えば、前記選択コンテンツに含まれる電話番号へ電話を開始することや、前記選択コンテンツに含まれるＵｎｉｆｏｒｍ  Ｒｅｓｏｕｒｃｅ  Ｌｏｃａｔｏｒ（ＵＲＬ）の基づいてウェブサーバにアクセスするウェブブラウザを起動することであって良い。
【国際調査報告】
2010503278.tif 000007
2010503278.tif 000008